(57)【要約】【課題】移動や複製を行うことなく、情報処理装置と他の電子機器とで同一内容の動画像データを鑑賞することを可能とした電子機器を提供する。【解決手段】動画像データの分割時、動画像データ分割部２０４は、分割対象の動画像データを１フレームごとに交互に振り分けて２つに分割する。動画像データ送受信部２０３は、２つに分割された動画像データの一方を他のコンピュータ１に送信し、この分割した動画像データの属性情報を更新する。一方、動画像データの復元時には、動画像データ送受信部２０３が、分割された動画像データを他のコンピュータ１から受信する。動画像データ復元部２０５は、この受信した動画像データと、自コンピュータ１側に残存していた動画像データをマージすることで分割前の動画像データを復元する。動画像データ送受信部２０３は、この分割前の状態に復元された動画像データの属性情報を更新する。【選択図】      図４
2009118004.tif 000002
【特許請求の範囲】
【請求項１】
動画像データを格納する記憶装置と、
前記記憶装置に格納された動画像データを第１の動画像データと第２の動画像データとに分割する分割手段と、
前記分割手段により作成された前記第１の動画像データまたは前記第２の動画像データの一方を他の電子機器に送信する送信手段と、
前記分割手段により作成された前記第１の動画像データまたは前記第２の動画像データを所定の調整処理を施しながら表示する表示手段と、
を具備することを特徴とする情報処理装置。
【請求項２】
前記分割手段は、前記記憶装置に格納された動画像データを奇数フレーム群と偶数フレーム群とに分割して、前記第１の動画像データおよび前記第２の動画像データを作成することを特徴とする請求項１記載の情報処理装置。
【請求項３】
前記表示手段は、各フレーム当たりの表示時間を２倍にして、前記第１の動画像データまたは前記第２の動画像データの一方を表示することを特徴とする請求項２記載の情報処理装置。
【請求項４】
前記分割手段は、前記記憶装置に格納された動画像データを周波数変換し、その周波数成分を奇数周波数成分と偶数周波数成分とに分割して、前記第１の動画像データおよび前記第２の動画像データを作成することを特徴とする請求項１記載の情報処理装置。
【請求項５】
前記表示手段は、欠落した周波数成分を隣接する周波数成分の値に基づき補間して、前記第１の動画像データまたは前記第２の動画像データの一方を表示することを特徴とする請求項４記載の情報処理装置。
【請求項６】
前記送信手段により送信された前記第１の動画像データまたは前記第２の動画像データの一方を前記他の電子機器から受信する受信手段と、
前記受信手段により受信された前記第１の動画像データまたは前記第２の動画像データの一方と、前記送信手段により送信されずに残存した前記第１の動画像データまたは前記第２の動画像データの他方とを用いて、元の動画像データを復元する復元手段と、
をさらに具備することを特徴とする請求項１記載の情報処理装置。
【請求項７】
動画像データを格納する記憶装置を備える情報処理装置における動画像データの処理方法であって、
前記情報処理装置は、
前記記憶装置に格納された動画像データを第１の動画像データと第２の動画像データとに分割するステップと、
前記分割により作成された前記第１の動画像データまたは前記第２の動画像データの一方を他の電子機器に送信するステップと、
前記分割により作成された前記第１の動画像データまたは前記第２の動画像データを所定の調整処理を施しながら表示するステップと、
を有することを特徴とする動画像データの処理方法。
【請求項８】
前記情報処理装置は、
前記送信された前記第１の動画像データまたは前記第２の動画像データの一方を前記他の電子機器から受信するステップと、
前記受信した前記第１の動画像データまたは前記第２の動画像データの一方と、前記送信がなされずに残存した前記第１の動画像データまたは前記第２の動画像データの他方とを用いて、元の動画像データを復元するステップと、
をさらに有することを特徴とする請求項７記載の動画像データの処理方法。
【発明の詳細な説明】
【技術分野】
【０００１】
この発明は、例えばデジタルテレビジョン放送番組データを記録・再生する機能を有するパーソナルコンピュータ等に適用して好適な動画像データの処理技術に関する。
【背景技術】
【０００２】
近年、ノートブックタイプやデスクトップタイプ等、様々なタイプのパーソナルコンピュータが広く普及している。そして、この種のパーソナルコンピュータでは、テレビジョン放送信号によって放送される放送番組データを記録・再生する機能を搭載することが一般的になりつつある。これにより、例えば、ホームサーバなどと称される据え置き型のパーソナルコンピュータで放送番組データの記録を行い、必要に応じて、その中から所望の放送番組データをモバイルコンピュータなどと称される可搬型のパーソナルコンピュータに転送しておくことで、外出先や移動中などでも、当該所望の放送番組データを鑑賞すること等が可能となっている。
【０００３】
このような傾向から、この放送番組データ等の動画像データを例えば情報報処理装置と他の電子機器との間で送受信することに関する提案が、これまで種々なされている（例えば特許文献１等参照）。
【特許文献１】特開平１０−１７４０９７号公報
【発明の開示】
【発明が解決しようとする課題】
【０００４】
ところで、テレビジョン放送信号によって放送される放送番組データの中には、著作権保護の観点から、例えば情報報処理装置と他の電子機器との間での移動は許可されるが、完全な複製は制限されるものが存在する。このような放送番組データを、ある時はホームサーバによって鑑賞し、またある時はモバイルコンピュータによって鑑賞したいといった場合には、その都度、ホームサーバとモバイルコンピュータとの間で移動させなければならず、ユーザにとって大変不便であった。
【０００５】
この発明は、このような事情を考慮してなされたものであり、都度の移動や複製を行うことなく、情報処理装置と他の電子機器とで同一内容の動画像データを鑑賞することを可能とした情報処理装置および動画像データの処理方法を提供することを目的とする。
【課題を解決するための手段】
【０００６】
前述の目的を達成するために、この発明の情報処理装置は、動画像データを格納する記憶装置と、前記記憶装置に格納された動画像データを第１の動画像データと第２の動画像データとに分割する分割手段と、前記分割手段により作成された前記第１の動画像データまたは前記第２の動画像データの一方を他の電子機器に送信する送信手段と、前記分割手段により作成された前記第１の動画像データまたは前記第２の動画像データを所定の調整処理を施しながら表示する表示手段とを具備することを特徴とする。
【０００７】
また、この発明の動画像データの処理方法は、動画像データを格納する記憶装置を備える情報処理装置における動画像データの処理方法であって、前記情報処理装置は、前記記憶装置に格納された動画像データを第１の動画像データと第２の動画像データとに分割するステップと、前記分割により作成された前記第１の動画像データまたは前記第２の動画像データの一方を他の電子機器に送信するステップと、前記分割により作成された前記第１の動画像データまたは前記第２の動画像データの他方を所定の調整処理を施しながら表示するステップとを有することを特徴とする。
【発明の効果】
【０００８】
この発明によれば、都度の移動や複製を行うことなく、情報処理装置と他の電子機器とで同一内容の動画像データを鑑賞することを可能とした情報処理装置および動画像データの処理方法を提供することができる。
【発明を実施するための最良の形態】
【０００９】
以下、図面を参照して本発明の一実施形態を説明する。
【００１０】
図１は、本実施形態に係る情報処理装置のディスプレイユニットを開いた状態における斜視図である。この情報処理装置は、例えば、バッテリ駆動可能なノートブックタイプのパーソナルコンピュータ１として実現されている。
【００１１】
本コンピュータ１は、コンピュータ本体２と、ディスプレイユニット３とから構成されている。ディスプレイユニット３には、ＬＣＤ（Liquid Crystal Display）１５で構成される表示装置が組み込まれている。
【００１２】
ディスプレイユニット３は、コンピュータ本体２に対し、コンピュータ本体２の上面が露出される開放位置とコンピュータ本体２の上面を覆う閉塞位置との間を回動自由に取り付けられている。コンピュータ本体２は薄い箱形の筐体を有しており、その上面には、キーボード２４、本コンピュータ１をパワーオン／パワーオフするためのパワーボタン４、入力操作パネル５、スピーカ２１、キーボード２４、タッチパッド２５などが配置されている。
【００１３】
図２は、本コンピュータ１のシステム構成を示す図である。
【００１４】
本コンピュータ１は、図２に示すように、ＣＰＵ１１、ノースブリッジ１２、主メモリ１３、表示コントローラ１４、ビデオメモリ（ＶＲＡＭ）１４Ａ、サウスブリッジ１６、ＢＩＯＳ−ＲＯＭ１７、ハードディスクドライブ（ＨＤＤ）１８、光磁気ディスクドライブ（ＯＤＤ）１９、サウンドコントローラ２０、無線ＬＡＮコントローラ２２、エンベデッドコントローラ／キーボードコントローラ（ＥＣ／ＫＢＣ）２３、電源回路２６、バッテリ２７、ネットワークコントローラ２８、ＴＶチューナ２９等を備えている。
【００１５】
ＣＰＵ１１は、本コンピュータ１の動作を制御するプロセッサであり、ＨＤＤ１８から主メモリ１３にロードされる、オペレーティングシステム（ＯＳ）１００や、このＯＳ１００の制御下で動作する、ユーティリティを含む各種アプリケーションプログラムを実行する。この各種アプリケーションプログラムの中には、テレビジョン放送信号によって放送される放送番組データを記録・再生するテレビジョン（ＴＶ）機能を提供するＴＶアプリケーション２００が含まれている。
【００１６】
また、ＣＰＵ１１は、ＢＩＯＳ−ＲＯＭ１７に格納されたＢＩＯＳも実行する。ＢＩＯＳは、ハードウェア制御のためのプログラムである。
【００１７】
ノースブリッジ１２は、ＣＰＵ１１のローカルバスとサウスブリッジ１６との間を接続するブリッジデバイスである。ノースブリッジ１２は、バスを介して表示コントローラ１４との通信を実行する機能を有しており、また、主メモリ１３をアクセス制御するメモリコントローラも内蔵されている。表示コントローラ１４は、本コンピュータ１の表示装置として使用されるＬＣＤ１５を制御する。
【００１８】
サウスブリッジ１６は、ＰＣＩバスおよびＬＰＣバス上の各種デバイスを制御するコントローラである。サウスブリッジ１６には、ＢＩＯＳ−ＲＯＭ１７、ＨＤＤ１８、ＯＤＤ１９、サウンドコントローラ２０、無線ＬＡＮコントローラ２２が直接的に接続され、これらを制御する機能も有している。
【００１９】
ＨＤＤ１８は、各種ソフトウェア及びデータを格納する記憶装置である。また、ＯＤＤ１９は、映像コンテンツが格納されたＨＤ  ＤＶＤ等の記憶メディアを駆動するためのドライブユニットである。サウンドコントローラ２０は、スピーカ２１を制御する音源コントローラである。無線ＬＡＮコントローラ２２は、例えばＩＥＥＥ８０２．１１規格の無線通信を実行する無線通信デバイスである。
【００２０】
ＥＣ／ＫＢＣ２３は、電力管理のためのエンベデッドコントローラと、キーボード２４およびタッチパッド２５を制御するためのキーボードコントローラとが集積された１チップマイクロコンピュータである。ＥＣ／ＫＢＣ２３は、電源回路２６と協働して、バッテリ２７または外部ＡＣ電源からの電力を各部に供給制御する。
【００２１】
ネットワークコントローラ２８は、例えばインターネットなどの外部ネットワークとの通信を実行する通信装置である。そして、ＴＶチューナ２９は、テレビジョン放送信号によって放送される放送番組データを外部から受信するための受信装置である。
【００２２】
次に、このようなシステム構成をもつ本コンピュータ１上で動作するＴＶアプリケーション２００がＴＶ機能内の一機能として備える動画像データの分割機能の概要を、図３を参照しながら説明する。
【００２３】
いま、図３（Ａ）に示すように、ＰＣ−ＸおよびＰＣ−Ｙの２台のコンピュータが存在し、ＰＣ−Ｘ側に動画像データＸが格納された状態にあるものと想定する。このＰＣ−ＸおよびＰＣ−Ｙの２台のコンピュータのいずれも、図２に示したシステム構成をもつ本コンピュータ１であり、各々がＴＶアプリケーション２００を搭載している。また、このＰＣ−ＸおよびＰＣ−Ｙの２台のコンピュータは、無線ＬＡＮコントローラ２２経由またはネットワークコントローラ２８経由で各種データを送受信可能な状態にある。
【００２４】
このＰＣ−Ｘに格納された動画像データＸは、情報処理装置と他の電子機器との間での移動は許可されるが、完全な複製は制限（例えばその回数が規定されている等）されている。これに対して、ユーザは、ＰＣ−ＸおよびＰＣ−Ｙのいずれによっても当該動画像データＸを随時再生できるようにしたいと考えている。そこで、この要望に応えるべく、ＰＣ−Ｘ側で動作するＴＶアプリケーション２００は、図３（Ｂ）に示すように、まず、この動画像データＸを、例えば奇数フレームのみからなる動画像データＸ1と偶数フレームのみからなる動画像データＸ2とに分割し、図３（Ｃ）に示すように、その一方（ここでは動画像データＸ2）をＰＣ−Ｙ側に送信する。
【００２５】
ＰＣ−Ｘ側のＴＶアプリケーション２００は、分割前の動画像データＸを再生する場合と比較して、各フレーム当たりの表示時間を２倍にするという調整を施しながら、動画像データＸ1を再生する。同様に、ＰＣ−Ｙ側のＴＶアプリケーション２００も、通常の動画像データを再生する場合と比較して、各フレーム当たりの表示時間を２倍にするという調整を施しながら、動画像データＸ2を再生する。
【００２６】
動画像データＸを分割した後のＰＣ−ＸおよびＰＣ−Ｙの２台のコンピュータの状態を見てみると（図３（Ｃ）の状態）、動画像データＸ1および動画像データＸ2に同一のフレームは存在しておらず、ＰＣ−ＸおよびＰＣ−Ｙの２台のコンピュータが同一の動画像データを保持することはない。即ち、部分的な移動が行われるのみであって複製は行われていない。よって、動画像データＸに課せられた、情報処理装置と他の電子機器との間での移動は許可されるが、完全な複製は制限されるという制約を違反することはない。
【００２７】
図４は、ＴＶアプリケーション２００の機能ブロックを示す図である。
【００２８】
ＴＶアプリケーション２００は、図４に示すように、動画像データ再生部２０１、動画像データ記録部２０２、動画像データ送受信部２０３、動画像データ分割部２０４、動画像データ復元部２０５、属性情報管理部２０６等を有している。
【００２９】
動画像データ再生部２０１は、ＴＶチューナ２９によって受信された、符号化された放送番組データをデコードし、このデコードによって得られた画像データを表示コントローラ１４に供給してＬＣＤ１５に表示させると共に、当該デコードによって得られた音声データをサウンドコントローラ２０に供給してスピーカ２１から出力させる。また、動画像データ再生部２０１は、符号化された放送番組データをＨＤＤ１８から読み出してデコードし、このデコードによって得られた画像データおよび音声データをＬＣＤ１５およびスピーカ２１から出力させることもできる。符号化された放送番組データのＨＤＤ１８への格納を行うのが動画像データ記録部２０２である。
【００３０】
動画像データ記録部２０２は、指定された日時および指定されたチャンネルの放送番組データをＴＶチューナ２９に受信させてＨＤＤ１８に格納する、いわゆる録画機能を提供する。この録画機能の起動は、事前の日時およびチャンネルの指定のほか、動画像データ再生部２０１によって視聴中の放送番組データについても指示することもできる。
【００３１】
動画像データ送受信部２０３は、動画像データ記録部２０２によってＨＤＤ１８に格納された動画像データを他のコンピュータ１に送信し、また、他のコンピュータ１から動画像データを受信してＨＤＤ１８に格納する。ＨＤＤ１８に格納された動画像データを他のコンピュータ１に送信する場合、動画像データ送受信部２０３は、送信対象の動画像データの分割を動画像データ分割部２０４に依頼する。一方、この動画像データ分割部２０４によって過去に分割された動画像データを他のコンピュータ１から受信した場合、動画像データ送受信部２０３は、この分割された動画像データの復元を動画像データ復元部２０５に依頼する。
【００３２】
そして、属性情報管理部２０６は、ＨＤＤ１８に格納された各動画像データに関する情報を属性情報としてＨＤＤ１８上で管理する。図５は、この属性情報管理部２０６によって管理される属性情報を示す図である。
【００３３】
図５に示すように、各動画像データの属性情報は、「コンテンツＩＤ」、「フレームレート」、「データ供給元」および「データ供給先」といった複数のフィールドを有するテーブル形式でＨＤＤ１８上に記録されている。なお、図５に示す属性情報は、ＰＣ−Ｘのコンピュータ１におけるものである。
【００３４】
ＴＶチューナ２９によって受信される放送番組データは、６０Ｆ／Ｓ（１秒間に６０枚のフレームが存在する）のフレームレートを有している。コンテンツＡは、動画像データ記録部２０２によってＨＤＤ１８に記録された当初の状態であり、この６０Ｆ／Ｓのフレームレートを保っている。当初の状態であるので、「データ供給元」欄および「データ供給先」欄のいずれにもデータは記録されていない。
【００３５】
コンテンツＢは、動画像データ記録部２０２によってＨＤＤ１８に記録された後、動画像データ分割部２０４によって分割され、その一方が動画像データ送受信部２０３によって他のコンピュータ１（ＰＣ−Ｙ）に送信された状態にある。そのため、「フレームレート」欄には３０Ｆ／Ｓが記録され、また、「データ供給先」欄には”ＰＣ−Ｙ”が記録されている。このコンテンツＢの再生時、動画像データ再生部２０１は、各フレーム当たりの表示時間を２倍にする調整を行う。
【００３６】
逆に、コンテンツＣは、動画像データ送受信部２０３によって他のコンピュータ１（ＰＣ−Ｙ）から受信されてＨＤＤ１８に記録された状態にある。そのため、「フレームレート」欄には３０Ｆ／Ｓが記録され、また、「データ供給元」欄には”ＰＣ−Ｙ”が記録されている。さらに、コンテンツＤは、動画像データ送受信部２０３によって他のコンピュータ１（ＰＣ−Ｙ）から受信されてＨＤＤ１８に記録された後、動画像データ分割部２０４によって分割され、その一方が動画像データ送受信部２０３によって他のコンピュータ１（ＰＣ−Ｚ）に送信された状態にある。そのため、「フレームレート」欄には１５Ｆ／Ｓが記録され、また、「データ供給元」欄には”ＰＣ−Ｙ”、「データ供給先」欄には”ＰＣ−Ｚ”がそれぞれ記録されている。このコンテンツＢの再生時、動画像データ再生部２０１は、各フレーム当たりの表示時間を２×２＝４倍にする調整を行う。
【００３７】
この属性情報によって、動画像データ再生部２０１による各コンテンツの再生が問題なく行え、また、分割したコンテンツＢまたはコンテンツＤが他のコンピュータ１（ＰＣ−Ｙ，ＰＣ−Ｚ）から返却された場合における動画像データ復元部２０５による復元が可能となる。
【００３８】
図６は、ＴＶアプリケーション２００の動画像データ分割部２０４が実行する動画像データの分割の基本原理を示す概念図である。
【００３９】
動画像データ記録部２０２によってＨＤＤ１８に格納された動画像データＸを分割する場合を想定すると、動画像データ分割部２０４は、図６に示すように、時間的に連続するフレームを交互に抽出していくことで、奇数フレームのみからなる動画像データＸ1と、偶数フレームのみからなる動画像データＸ2とに分割する。分割後の動画像データＸ1および動画像データＸ2の各フレームの表示時間は、元の動画像データＸ時の表示時間ｔの２倍（２ｔ）とすることで、全体として整合性が保たれる。
【００４０】
そして、このように分割していくことで、図７に示すように、動画像データ復元部２０５による復元、つまり動画像データの可逆変換が可能となる。より具体的には、動画像データＸは、動画像データ分割部２０４によって動画像データＸ1および動画像データＸ2に分割可能であり、また、この動画像データＸ1および動画像データＸ2は、動画像データＸ11および動画像データＸ12、動画像データＸ21および動画像データＸ22にそれぞれさらに分割可能である。そして、このように分割された動画像データＸ11および動画像データＸ12、動画像データＸ21および動画像データＸ22は、動画像データ復元部２０５によって動画像データＸ1および動画像データＸ2に復元可能であり、また、この動画像データＸ1および動画像データＸ2は、動画像データＸにさらに復元可能である。
【００４１】
図８および図９は、本コンピュータ１上で動作するＴＶアプリケーション２００の動作手順を示すフローチャートである。図８には動画像データの分割時の手順、図９には動画像データの復元時の手順がそれぞれ示されている。
【００４２】
動画像データの分割時、動画像データ分割部２０４は、分割対象の動画像データを１フレームごとに交互に振り分けて２つに分割する（図８ステップＡ１）。動画像データ送受信部２０３は、動画像データ分割部２０４によって２つに分割された動画像データの一方を他のコンピュータ１に送信し（図８ステップＡ２）、この分割した動画像データの属性情報を更新する（図８ステップＡ３）。
【００４３】
一方、動画像データの復元時には、まず、動画像データ送受信部２０３が、分割された動画像データを他のコンピュータ１から受信する（図８ステップＢ１）。動画像データ復元部２０５は、この受信した動画像データと、自コンピュータ１側に残存していた動画像データをマージすることで分割前の動画像データを復元する（図８ステップＢ２）。そして、動画像データ送受信部２０３は、この分割前の状態に復元された動画像データの属性情報を更新する（図８ステップＢ３）。
【００４４】
このように、本コンピュータ１によれば、都度の移動や複製を行うことなく、複数のコンピュータ１にて同一内容の動画像データを鑑賞することが可能となる。
【００４５】
ところで、以上では、動画像データをフレームで分割する例を示したが、例えば周波数で分割することも可能である。より具体的には、動画像データに対して、例えば離散フーリエ変換等の周波数変換を行い、奇数周波数成分のみからなる動画像データと偶数周波数成分のみからなる動画像データとに分割する。再生時には、欠落する周波数成分を、隣接する周波数成分の値から統計的な演算手法により補間する調整を行えば良い。
【００４６】
つまり、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００４７】
【図１】この発明の一実施形態に係る情報処理装置の外観を示す斜視図
【図２】同実施形態の情報処理装置のシステム構成を示す図
【図３】同実施形態の情報処理装置上で動作するＴＶアプリケーションがＴＶ機能内の一機能として備える動画像データの分割機能の概要を説明するための図
【図４】同実施形態の情報処理装置上で動作するＴＶアプリケーションの機能ブロックを示す図
【図５】同実施形態の情報処理装置上で動作するＴＶアプリケーションが管理する各動画像データの属性情報を示す図
【図６】同実施形態の情報処理装置上で動作するＴＶアプリケーションが実行する動画像データの分割の基本原理を示す概念図
【図７】同実施形態の情報処理装置上で動作するＴＶアプリケーションによって動画像データが可逆変換されることを示す図
【図８】同実施形態の情報処理装置上で動作するＴＶアプリケーションの動画像データの分割時の手順を示すフローチャート
【図９】同実施形態の情報処理装置上で動作するＴＶアプリケーションの動画像データの復元時の手順を示すフローチャート
【符号の説明】
【００４８】
１…情報処理装置（コンピュータ）、２…コンピュータ本体、３…ディスプレイユニット、１１…ＣＰＵ、１２…ノースブリッジ、１３…主メモリ、１４…表示コントローラ、１４Ａ…ＶＲＡＭ、１５…ＬＣＤ、１６…サウスブリッジ、１７…ＢＩＯＳ−ＲＯＭ、１８…ＨＤＤ、１９…ＯＤＤ、２０…サウンドコントローラ、２１…スピーカ、２２…無線ＬＡＮコントロ−ラ、２３…エンベデッドコントローラ／キーボードコントローラ（ＥＣ／ＫＢＣ）、２４…キーボード、２５…タッチパッド、２６…電源回路、２７…バッテリ、２８…ネットワークコントローラ、２９…ＴＶチューナ、１００…オペレーティングシステム（ＯＳ）、２００…ＴＶアプリケーション、２０１…動画像データ再生部、２０２…動画像データ記録部、２０３…動画像データ送受信部、２０４…動画像データ分割部、２０５…動画像データ復元部、２０６…属性情報管理部２０６。
【図１】
2009118004.tif 000003
【図２】
2009118004.tif 000004
【図３】
2009118004.tif 000005
【図４】
2009118004.tif 000006
【図５】
2009118004.tif 000007
【図６】
2009118004.tif 000008
【図７】
2009118004.tif 000009
【図８】
2009118004.tif 000010
【図９】
2009118004.tif 000011